(57)【要約】【課題】光照射による美容作用促進の効果を高めることが可能な光美容装置を提供する。【解決手段】光美容装置１０は、温風吹出し口１４、光照射部１５、制御マイコン２０、ヒーター２１、送風ファン２２、および発光用コンデンサ２３を有する。光照射部１５は美容作用促進エネルギー出力部を形成する。ヒーター２１および送風ファン２２は、加熱エネルギー出力部を形成する。光照射部１５は、複数の発光ダイオード１６を有する。加熱エネルギー出力部は、美容作用促進エネルギー出力部からの美容作用促進エネルギー出力よりも先に加熱エネルギーを出力する。【選択図】図２
2014097164.tif 000002
【特許請求の範囲】
【請求項１】
光美容装置であって、
前記光美容装置は、加熱エネルギー出力部および美容作用促進エネルギー出力部を有し、
前記加熱エネルギー出力部は、加熱エネルギーを出力し、
前記美容作用促進エネルギー出力部は、光照射エネルギーを出力し、
前記美容作用促進エネルギー出力部は、前記光照射エネルギーとして第１光照射エネルギーおよび第２光照射エネルギーを交互に出力し、
前記加熱エネルギー出力部は、前記美容作用促進エネルギー出力部からの前記光照射エネルギーの出力よりも先に前記加熱エネルギーを出力する
光美容装置。
【請求項２】
前記美容作用促進エネルギー出力部は、光照射エネルギーを出力するとき、前記第１光照射エネルギーおよび前記第２光照射エネルギーの順に出力し、前記第１光照射エネルギーは前記第２光照射エネルギーよりも大きい
請求項１に記載の光美容装置。
【請求項３】
前記加熱エネルギー出力部は、加熱エネルギーとして第１加熱エネルギーおよび第２加熱エネルギーを交互に出力し、
前記第１加熱エネルギーは、前記第２加熱エネルギーと異なる値を有する
請求項１または２に記載の光美容装置。
【請求項４】
前記加熱エネルギー出力部は、温風により前記加熱エネルギーを出力する
請求項１〜３のいずれか一項に記載の光美容装置。
【請求項５】
前記加熱エネルギー出力部は、光照射により加熱エネルギーを出力する
請求項１〜４のいずれか一項に記載の光美容装置。
【発明の詳細な説明】
【技術分野】
【０００１】
本発明は、美容作用促進用の光を照射する光美容装置に関する。
【背景技術】
【０００２】
従来の光美容装置は、光照射部からの照射光を使用者の美容施術を行う部分の皮膚に照射して美容作用促進の効果を得る。光美容装置は、例えば、２波長以上の光を発する複数の光源モジュールを有し、複数の光源モジュールは、波長が異なる光を発する。なお、特許文献１は、従来の光美容装置としての美容機器の一例を開示している。
【先行技術文献】
【特許文献】
【０００３】
【特許文献１】特開２００５−２７６号公報
【発明の概要】
【発明が解決しようとする課題】
【０００４】
美容機器においては、光源モジュールが発生する光の波長および点滅発光周期を所定の値に設定して照射動作が実施される。光照射による美容作用促進の効果は、光を照射する使用者の美容施術を行う部分の皮膚の温度に差があるとき、その大きさに差を生じる。このため、美容作用促進の効果を高める点において改善の余地がある。
【０００５】
本発明は、以上の背景をもとに創作されたものであり、光照射による美容作用促進の効果を高めることが可能な光美容装置を提供することを目的とする。
【課題を解決するための手段】
【０００６】
（１）第１の手段は、「光美容装置であって、前記光美容装置は、加熱エネルギー出力部および美容作用促進エネルギー出力部を有し、前記加熱エネルギー出力部は、加熱エネルギーを出力し、前記美容作用促進エネルギー出力部は、光照射エネルギーを出力し、前記美容作用促進エネルギー出力部は、前記光照射エネルギーとして第１光照射エネルギーおよび第２光照射エネルギーを交互に出力し、前記加熱エネルギー出力部は、前記美容作用促進エネルギー出力部からの前記光照射エネルギーの出力よりも先に前記加熱エネルギーを出力する光美容装置」を含む。
【０００７】
光美容装置は、加熱エネルギー出力部、および美容作用促進エネルギー出力部を有する。光美容装置は、美容作用促進エネルギー出力部からの美容作用促進エネルギー出力よりも先に加熱エネルギー出力部から加熱エネルギーを出力する。この構成によれば、使用者は、加熱エネルギー出力部からの加熱エネルギーを受けて美容施術を行う部分の皮膚が暖められた状態で光美容装置からの美容作用促進エネルギーを美容施術を行う部分に受けることができる。このため、使用者は、美容作用促進の効果の大きい美容施術を受けることができる。
【０００８】
（２）第２の手段は、「前記美容作用促進エネルギー出力部は、光照射エネルギーを出力するとき、第１光照射エネルギーおよび第２光照射エネルギーの順に出力し、前記第１光照射エネルギーは前記第２光照射エネルギーよりも大きい光美容装置」を含む。
【０００９】
（３）第３の手段は、「前記加熱エネルギー出力部は、加熱エネルギーとして第１加熱エネルギーおよび第２加熱エネルギーを交互に出力し、前記第１加熱エネルギーは、前記第２加熱エネルギーと異なる値を有する光美容装置」を含む。
【００１０】
（４）第４の手段は、「前記加熱エネルギー出力部は、温風により前記加熱エネルギーを出力する光美容装置」を含む。
（５）第５の手段は、「前記加熱エネルギー出力部は、光照射により加熱エネルギーを出力する光美容装置」を含む。
【発明の効果】
【００１１】
本光美容装置は、光照射による美容作用促進の効果を高めることに貢献する。
【図面の簡単な説明】
【００１２】
【図１】第１実施形態における光美容装置の外部構成図。
【図２】第１実施形態における光美容装置の外部構成図でのＺ２−Ｚ２線における断面図。
【図３】第１実施形態の光美容装置における加熱エネルギー出力部および光照射部が出力する出力エネルギー波形。
【図４】第２実施形態の光美容装置における加熱エネルギー出力部および光照射部が出力する出力エネルギー波形。
【図５】第２実施形態における美容作用促進エネルギーの照射実験における血流量変化測定データ。
【図６】第３実施形態の光美容装置における加熱エネルギー出力部および光照射部が出力する出力エネルギー波形。
【図７】その他の実施形態の光美容装置における加熱エネルギー出力部および光照射部が出力する出力エネルギー波形。
【図８】その他の実施形態の光美容装置における加熱エネルギー出力部および光照射部が出力する出力エネルギー波形。
【図９】その他の実施形態の光美容装置における加熱エネルギー出力部および光照射部が出力する出力エネルギー波形。
【図１０】その他の実施形態の光美容装置における光照射部出力に関する図であり、（ａ）〜（ｅ）は出力エネルギー波形例。
【発明を実施するための形態】
【００１３】
（第１実施形態）
図１を参照して、光美容装置１０の外部構成について説明する。
光美容装置１０は、本体部１１および蓋１２を有する。本体部１１は、天面に形成される凸部１３に温風吹出し口１４および美容作用促進エネルギー出力部としての光照射部１５を有する。光照射部１５は、複数の発光ダイオード１６を有する。複数の発光ダイオード１６は、温風吹出し口１４の周囲に配置される。本体部１１は、電力供給用の電源コンセント１７および操作スイッチ１８を有する。
【００１４】
図２を参照して、本体部１１の断面図を用いて内部構成について説明する。
本体部１１は、電源部１９、制御マイコン２０、ヒーター２１、送風ファン２２、および発光用コンデンサ２３を有する。ヒーター２１および送風ファン２２は、加熱エネルギー出力部を形成する。
【００１５】
光美容装置１０の動作を説明する。
光美容装置１０は、使用者が操作スイッチ１８を操作することにより動作が開始される。制御マイコン２０は、ヒーター２１および送風ファン２２を駆動制御する。ヒーター２１は、空気流路２４の下流側の空気を加熱する。送風ファン２２は、羽根を回転させ加温された空気を温風吹出し口１４から吹出す。使用者は、温風吹出し口１４から吹出された温風を美容施術を行う部分の皮膚に当てる。制御マイコン２０は、温風吹出し口１４からの温風吹出しによる加熱動作を終了するとき、ヒーター２１および送風ファン２２を停止制御する。ヒーター２１および送風ファン２２により形成される加熱エネルギー出力部は、温風吹出し口１４からの温風吹出しを停止する。制御マイコン２０は、発光用コンデンサ２３を駆動制御する。発光用コンデンサ２３は、蓄えている電荷を発光ダイオード１６に供給する。発光ダイオード１６は、点灯して光照射部１５から美容作用促進エネルギーとしての光照射エネルギーを出力する。使用者は、光照射部１５から出力される美容作用促進エネルギーを美容施術を行う部分に当てる。
【００１６】
図３は、加熱エネルギー出力部および光照射部１５が出力する出力エネルギー波形を示している。
光美容装置１０の動作開始後の時刻（ｔ１〜ｔ２）の加熱期間において、ヒーター２１および送風ファン２２が形成する加熱エネルギー出力部は、使用者の美容施術を行う部分の皮膚を加熱する加熱エネルギー（ＴＥ）を出力する。光照射部１５は、加熱エネルギー出力部が加熱エネルギーの出力を停止する時刻（ｔ２）以降の光美容施術期間に美容作用促進エネルギーとして光照射エネルギー（ＬＥ）を出力する。
【００１７】
加熱エネルギー出力部が出力する加熱エネルギー（ＴＥ）は、加熱対象の表面温度を３８〜４２℃に加熱するエネルギーとされる。光美容装置１０が人体の皮膚に対する美容施術を行うとき、加熱エネルギー（ＴＥ）は、美容施術を行う部分の表面温度を４０〜４２℃に加熱するエネルギーであるのが好ましい。光照射部１５が照射する照射光の波長は、８００〜２５００ｎｍとされる。
【００１８】
光美容装置１０は、以下の効果を奏する。
（１）光美容装置１０は、ヒーター２１および送風ファン２２が形成する加熱エネルギー出力部、および美容作用促進エネルギー出力部としての光照射部１５を有する。光美容装置１０は、電源部１９、制御マイコン２０、および発光用コンデンサ２３を有する。光照射部１５は、複数の発光ダイオード１６を有する。光美容装置１０は、光照射部１５からの美容作用促進エネルギー出力よりも先に加熱エネルギー出力部から加熱エネルギーを出力する。この構成によれば、使用者は、加熱エネルギー出力部からの加熱エネルギーを受けて美容施術を行う部分の皮膚が暖められた状態で光美容装置１０からの美容作用促進エネルギーを美容施術を行う部分に受けることができる。このため、使用者は、美容作用促進の効果の大きい美容施術を受けることができる。
【００１９】
（２）光美容装置１０は、ヒーター２１および送風ファン２２が形成する加熱エネルギー出力部、および美容作用促進エネルギー出力部としての光照射部１５を有する。光美容装置１０は、電源部１９、制御マイコン２０、および発光用コンデンサ２３を有する。光照射部１５は、複数の発光ダイオード１６を有する。光美容装置１０は、光照射部１５からの美容作用促進エネルギー出力よりも先に加熱エネルギー出力部から加熱エネルギーを出力する。この構成によれば、使用者は、美容作用促進の効果の大きい美容施術を受けることができる。このため、使用者は、短時間で美容施術を行うことができる。このため、使用者は、光照射による負担の少ない美容施術を受けることができる。
【００２０】
（第２実施形態）
第２実施形態の光美容装置１０は、第１実施形態の光美容装置１０と比較して次の部分において異なる構成を有し、その他の部分において同一の構成を有する。第１実施形態の光美容装置１０と共通する構成については同一の符号を付して、その説明の一部または前部を省略する。
【００２１】
第１実施形態の光美容装置１０は、光照射部１５が美容作用促進エネルギーとして光照射エネルギー（ＬＥ）を出力する。一方、第２実施形態の光美容装置１０は、光照射部１５が出力する美容効果促進エネルギーとして、第１光照射エネルギーと第２光照射エネルギーを交互に出力するパルス光を照射する。
【００２２】
図４を参照して、加熱エネルギー出力部および光照射部１５が出力する出力エネルギー波形を説明する。
光美容装置１０は、使用者が操作スイッチ１８を操作することにより動作が開始される。光美容装置１０の動作開始後の時刻（ｔ１〜ｔ２）の加熱期間において、ヒーター２１および送風ファン２２が形成する加熱エネルギー出力部は、制御マイコン２０の制御に基づいて、美容施術を行う部分の皮膚を加熱する加熱エネルギー（ＴＥ）を出力する。光照射部１５は、加熱エネルギー出力部が加熱エネルギー（ＴＥ）の出力を停止する時刻（ｔ２）以降の光美容施術期間に制御マイコン２０からの制御に基づいて、第１光照射エネルギー（ＬＥ１）および第２光照射エネルギー（ＬＥ２）を交互に出力するパルス光を照射する。
【００２３】
光照射部１５が出力するパルス光の繰り返し周波数は、１５〜６０Ｈｚとされる。光美容装置１０が人体の皮膚に対する美容施術を行うとき、パルス光の繰り返し周波数は、３０〜４０Ｈｚであるのが好ましい。
【００２４】
図５を参照して、美容効果促進エネルギーとして光照射を行うときの皮膚の血流量変化特性に関する説明を行う。図５は、本願発明者が行った実験により得られた特性を示している。
【００２５】
本願発明者は、美容施術を行う部分の皮膚に対して、時刻（ｔ１〜ｔ２）の期間で美容効果促進エネルギーとして（ａ）および（ｂ）に示される２種類の光照射を行った。光照射（ａ）は、時刻（ｔ１〜ｔ２）の期間で連続的に美容効果促進エネルギーを出力する連続光照射である。光照射（ｂ）は、時刻（ｔ１〜ｔ２）の期間で周期的に点灯および消灯を繰り返すパルス光として美容作用促進エネルギーを出力するパルス光照射である。
【００２６】
血流量変化量（ｃ）は、時刻（ｔ１〜ｔ２）の期間において（ａ）および（ｂ）に示される２種類の光照射を行った場合での皮膚表面の血流量の測定結果を示している。血流量変化量は、測定値における光照射を開始する直前の血流量に対する増減量である。
【００２７】
血流量変化量（ｃ）に示されるように、実線で示される連続光照射（ａ）および破線で示されるパルス光照射（ｂ）のいずれにおいても血流量変化量は、光を照射している時刻（ｔ１〜ｔ２）の期間において増加する。連続光照射（ａ）を行ったとき、照射血流量変化量は、時刻（ｔ２）の光照射停止後に増加した血流量が時間とともに減少する。一方、パルス光照射（ｂ）を行ったとき、血流量変化量は、光照射を停止する時刻（ｔ２）以降も測定時間範囲内において増加した血流量を維持している。
【００２８】
光美容装置１０によれば、第１実施形態の光美容装置１０が奏する（１）および（２）と同様の効果を奏する。すなわち、使用者が美容作用促進の効果の大きい美容施術を受けることができる旨の効果、および使用者が光照射による負担の少ない美容施術を受けることができる旨の効果を奏する。また、光美容装置１０は、以下の効果を奏する。
【００２９】
（３）光美容装置１０は、加熱エネルギー出力部から加熱エネルギーを出力する。光美容装置１０は、加熱エネルギー出力部からの加熱エネルギー出力の後に光照射部１５から美容効果促進エネルギーとして、第１光照射エネルギー（ＬＥ１）と第２光照射エネルギー（ＬＥ２）を交互に出力するパルス光照射を行う。この構成によれば、使用者は、加熱エネルギー出力部から出力される加熱エネルギーで美容施術を行う部分の皮膚が暖められた状態で美容作用促進エネルギーとしてのパルス光を受けることができる。このため、使用者の美容施術を行う部分の皮膚は、血流量が増加し、増加した血流量がパルス光照射停止後も長時間維持する。このため、使用者の美容施術を行う部分の皮膚は、細胞への栄養が充分に行き渡るとともに、皮膚水分量が増加する。このため、使用者は、美容施術を行う部分の皮膚のターンオーバーが改善する高い美肌効果を得ることができる。
【００３０】
（第３実施形態）
第３実施形態の光美容装置１０は、第１実施形態の光美容装置１０と比較して次の部分において異なる構成を有し、その他の部分において同一の構成を有する。第１実施形態の光美容装置１０と共通する構成については同一の符号を付して、その説明の一部または前部を省略する。
【００３１】
第１実施形態の光美容装置１０は、ヒーター２１および送風ファン２２が形成する加熱エネルギー出力部が加熱期間において加熱エネルギー（ＴＥ）を出力する。一方、第３実施形態の光美容装置１０は、光照射部１５が加熱期間において第１加熱エネルギー（ＴＥ１）および第２加熱エネルギー（ＴＥ２）を交互に出力するパルス光照射を行う。
【００３２】
図６を参照して、光照射部１５が出力する出力エネルギー波形を説明する。
光美容装置１０において、光照射部１５は、加熱エネルギー出力部を形成する。光美容装置１０は、使用者が操作スイッチ１８を操作することにより動作が開始される。光美容装置１０の動作開始後の時刻時刻（ｔ１〜ｔ２）の加熱期間において、光照射部１５が構成する加熱エネルギー出力部は、制御マイコン２０の制御に基づいて、第１加熱エネルギー（ＴＥ１）および第２加熱エネルギー（ＴＥ２）を交互に出力するパルス光照射を行う。光照射部１５は、加熱期間が終了する時刻（ｔ２）以降の光美容施術期間に制御マイコン２０からの制御に基づいて、第１光照射エネルギー（ＬＥ１）および第２光照射エネルギー（ＬＥ２）を交互に出力するパルス光を照射する。
【００３３】
光照射部１５が時刻（ｔ１〜ｔ２）の加熱期間に出力する第１加熱エネルギー（ＴＥ１）は、光照射部１５が時刻ｔ２以降の光美容施術期間に出力する第１光照射エネルギー（ＬＥ１）よりも大きな値に設定される。
【００３４】
光美容装置１０によれば、第１および第２実施形態の光美容装置１０が奏する（１）〜（３）と同様の効果を奏する。また、光美容装置１０は、以下の効果を奏する。
（４）光美容装置１０は、電源部１９、制御マイコン２０、発光用コンデンサ２３、および光照射部１５を有する。光照射部１５は、複数の発光ダイオード１６を有する。光照射部１５は、加熱エネルギー出力部を形成する。光美容装置１０は、光照射部１５からの美容作用促進エネルギー出力よりも先に加熱エネルギーを出力する。この構成によれば、使用者は、加熱エネルギー出力部からのパルス光照射による加熱エネルギーを受けて美容施術を行う部分の皮膚が均一に暖められる。使用者は、美容施術を行う部分の皮膚が均一に暖められた状態で光美容装置１０からのパルス光照射による美容作用促進エネルギーを美容施術を行う部分に受けることができる。このため、使用者は、美容施術を行う部分に対して美容作用促進が均一となる美容施術を受けることができる。
【００３５】
（その他の実施形態）
本光美容装置は、第１〜第３実施形態以外の実施形態を含む。以下、本人体用刺激付与装置のその他の実施形態としての第１〜第３実施形態の変形例を示す。なお、以下の各変形例は、互いに組み合わせることもできる。
【００３６】
・第１実施形態の光美容装置１０は、光照射部１５が複数の発光ダイオード１６を有する。発光ダイオード１６は、点灯して光照射部１５から美容作用促進エネルギーとしての光照射エネルギーを出力する。ただし、光照射部１５の構成は第１実施形態に例示された内容に限られない。例えば、変形例の光美容装置１０は、光照射部１５がキセノンランプを有する。キセノンランプは、点灯して光照射部１５から美容作用促進エネルギーとしての光照射エネルギーを出力する。または、光照射部１５がハロゲンランプを有する。ハロゲンランプは、点灯して光照射部１５から美容作用促進エネルギーとしての光照射エネルギーを出力する。
【００３７】
・第２および第３実施形態の光美容装置１０は、光照射部１５が複数の発光ダイオード１６を有する。発光ダイオード１６は、パルス点灯して光照射部１５から美容作用促進エネルギーとしてのパルス光照射エネルギーを出力する。ただし、光照射部１５の構成は第２および第３実施形態に例示された内容に限られない。例えば、変形例の光美容装置１０は、光照射部１５がキセノンランプを有する。キセノンランプは、パルス点灯して光照射部１５から美容作用促進エネルギーとしてのパルス光照射エネルギーを出力する。または、光照射部１５がハロゲンランプを有する。ハロゲンランプは、パルス点灯して光照射部１５から美容作用促進エネルギーとしてのパルス光照射エネルギーを出力する。光照射部１５が出力するパルス光の繰り返し周波数は、１５〜６０Ｈｚとされる。光美容装置１０が人体の皮膚に対する美容施術を行うとき、パルス光の繰り返し周波数は、３０〜４０Ｈｚであるのが好ましい。
【００３８】
・第２および第３実施形態の光美容装置１０は、光照射部１５が複数の発光ダイオード１６を有する。発光ダイオード１６は、パルス点灯して光照射部１５から美容作用促進エネルギーとしてのパルス光照射エネルギーを出力する。ただし、光照射部１５の構成は第２または第３実施形態に例示された内容に限られない。例えば、変形例の光美容装置１０は、光照射部１５がキセノンランプを有する。または、変形例の光美容装置１０は、光照射部１５がハロゲンランプを有する。変形例の光美容装置１０は、さらに、キセノンランプまたはハロゲンランプの前面に開閉自在のシャッターを有する。変形例の光美容装置１０は、さらに、シャッター制御部を有する。シャッター制御部は、シャッターが開閉動作を繰り返す制御を行う。光照射部１５は、シャッターの開閉動作を繰り返すことによりパルス光照射エネルギーを出力する。シャッターの開閉動作を繰り返す周波数は、１５〜６０Ｈｚとされる。光美容装置１０が人体の皮膚に対する美容施術を行うとき、シャッターの開閉動作を繰り返す周波数は、３０〜４０Ｈｚであるのが好ましい。この変形例の構成によれば、キセノンランプまたはハロゲンランプのパルス点灯に比べて、キセノンランプまたはハロゲンランプの寿命低下を抑制することができる。また、この変形例の構成によれば、発光ダイオード１６の消灯動作時の応答速度、およびキセノンランプおよびハロゲンランプの点灯時の応答速度の遅れを改善でき、精度の良いパルス光を出力することができる。
【００３９】
・第２および第３実施形態の光美容装置１０は、光照射部１５が複数の発光ダイオード１６を有する。発光ダイオード１６は、パルス点灯して光照射部１５から美容作用促進エネルギーとしてのパルス光照射エネルギーを出力する。ただし、光照射部１５の構成は第２または第３実施形態に例示された内容に限られない。例えば、変形例の光美容装置１０は、光照射部１５がキセノンランプを有する。または、変形例の光美容装置１０は、光照射部１５がハロゲンランプを有する。キセノンランプまたはハロゲンランプは、パルス点灯して光照射部１５から美容作用促進エネルギーとしてのパルス光照射エネルギーを出力する。変形例の光美容装置１０は、さらに、キセノンランプまたはハロゲンランプの前面に開閉自在のシャッターを有する。変形例の光美容装置１０は、さらに、シャッター制御部を有する。シャッター制御部は、シャッターが開閉動作を繰り返す制御を行う。変形例の光美容装置１０は、キセノンランプまたはハロゲンランプのパルス点灯およびシャッターの開閉動作により、光照射部１５から美容作用促進エネルギーとしてのパルス光照射エネルギーを出力する。
【００４０】
・第３実施形態の光美容装置１０は、加熱期間において、光照射部１５が第１の加熱エネルギー（ＴＥ１）と第２の加熱エネルギー（ＴＥ２）を交互に出力する光パルス照射を行う。ただし、光美容装置１０の構成は、第３実施形態に例示された内容に限られない。例えば、変形例の光美容装置１０は、加熱期間において、光照射部１５が第３加熱エネルギー（ＴＥ３）と第４加熱エネルギー（ＴＥ４）を交互に出力する光パルス照射を行う。第３加熱エネルギー（ＴＥ３）の光照射期間は、第４加熱エネルギー（ＴＥ４）の光照射期間よりも大きな値に設定される。
【００４１】
図７を参照して、光照射部１５が出力する出力エネルギー波形を説明する。
光照射部１５は、時刻（ｔ１〜ｔ２）の加熱期間において、第３加熱エネルギー（ＴＥ３）と第４加熱エネルギー（ＴＥ４）を交互に出力する光パルス照射を行う。第３加熱エネルギー（ＴＥ３）の光照射期間は、第４加熱エネルギー（ＴＥ４）の光照射期間よりも大きな値に設定される。光照射部１５は、時刻（ｔ２）以降の美容施術期間において、第１光照射エネルギー（ＬＥ１）と第２光照射エネルギー（ＬＥ２）を交互に出力する光パルス照射を行う。
【００４２】
・第３実施形態の光美容装置１０は、加熱期間において、光照射部１５が第１の加熱エネルギー（ＴＥ１）と第２の加熱エネルギー（ＴＥ２）を交互に出力する光パルス照射を行う。ただし、光美容装置１０の構成は、第３実施形態に例示された内容に限られない。例えば、変形例の光美容装置１０は、加熱期間において、光照射部１５が第５加熱エネルギー（ＴＥ５）と第６加熱エネルギー（ＴＥ６）を交互に出力する光パルス照射を行う。第６加熱エネルギー（ＴＥ６）は、光美容施術期間における第２光照射エネルギー（ＬＥ２）よりも大きな値に設定される。
【００４３】
図８を参照して、光照射部１５が出力する出力エネルギー波形を説明する。
光照射部１５は、時刻（ｔ１〜ｔ２）の加熱期間において、第５加熱エネルギー（ＴＥ５）と第６加熱エネルギー（ＴＥ６）を交互に出力する光パルス照射を行う。光照射部１５は、時刻（ｔ２）以降の美容施術期間において、第１光照射エネルギー（ＬＥ１）と第２光照射エネルギー（ＬＥ２）を交互に出力する光パルス照射を行う。加熱期間における第６加熱エネルギー（ＴＥ６）は、光美容施術期間における第２光照射エネルギー（ＬＥ２）よりも大きな値に設定される。
【００４４】
・第３実施形態の光美容装置１０は、加熱期間において、光照射部１５が第１の加熱エネルギー（ＴＥ１）と第２の加熱エネルギー（ＴＥ２）を交互に出力する光パルス照射を行う。ただし、光美容装置１０の構成は、第３実施形態に例示された内容に限られない。例えば、変形例の光美容装置１０は、加熱期間および美容施術期間において、第３光照射エネルギー（ＬＥ３）と第４光照射エネルギー（ＬＥ４）を交互に出力する光パルス照射を行う。
【００４５】
図９を参照して、光照射部１５が出力する出力エネルギー波形を説明する。
光照射部１５は、時刻（ｔ１〜ｔ２）の加熱期間および時刻（ｔ２）以降の美容施術期間において、第３光照射エネルギー（ＬＥ３）と第４光照射エネルギー（ＬＥ４）を交互に出力する光パルス照射を行う。
【００４６】
・第１〜第３実施形態の光美容装置１０は、光照射部１５が発光ダイオード１６を点灯して美容作用促進エネルギーを出力する。ただし、光美容装置１０の構成は、第１〜第３実施形態に例示された内容に限られない。例えば、変形例の光美容装置１０は、光照射部１５が赤外線ランプを点灯して美容作用促進エネルギーを出力する。あるいは、光照射部１５がレーザーにより美容作用促進エネルギーを出力する。また、別の変形例においては、光照射部１５がＩＰＬにより容作用促進エネルギーを出力する。要するに、光照射部１５は、光照射により使用者の美容施術を行う部分に対して美容作用促進エネルギーを与えるものであればよい。
【００４７】
・第１実施形態の光美容装置１０は、加熱エネルギー出力部が温風吹出しによる加熱エネルギー出力を停止した後に光照射部１５が美容作用促進エネルギーを出力する。ただし、光美容装置１０の構成は、第１実施形態に例示された内容に限られない。例えば、変形例の光美容装置１０は、光照射部１５からの美容作用促進エネルギー出力開始後においても加熱エネルギー出力部からの加熱エネルギー出力を継続する。
【００４８】
・第１実施形態の光美容装置１０は、ヒーター２１および送風ファン２２が形成する加熱エネルギー出力部が温風を温風吹出し口１４から吹出す。ただし、光美容装置１０の構成は、第１実施形態に例示された内容に限られない。例えば、変形例の光美容装置１０は、加熱エネルギー出力部が暖められたミストを噴霧する。
【００４９】
・第２実施形態の光美容装置１０は、美容施術期間において光照射部１５が第１光照射エネルギー（ＬＥ１）と第２光照射エネルギー（ＬＥ２）を交互に出力するパルス光照射を行う。ただし、光美容装置１０の構成は、第２実施形態に例示された内容に限られない。例えば、変形例の光美容装置１０は、美容施術期間において光照射部１５が第２光照射エネルギー（ＬＥ２）がゼロとなる光パルスを照射する。または、第１光照射エネルギー（ＬＥ１）および第２光照射エネルギー（ＬＥ２）をその他の値とする。
【００５０】
図１０に、光照射部１５が美容施術期間に出力する照射光のエネルギー波形の例を示す。図１０（ａ）は、第２光照射エネルギー（ＬＥ２）がゼロとなる光パルスである。図１０（ｂ）は、第１光照射エネルギー（ＬＥ１）の値が右下がりの傾斜を有する光パルスである。図１０（ｃ）は、第１光照射エネルギー（ＬＥ１）の値が右上がりの傾斜を有する光パルスである。図１０（ｄ）は、第１光照射エネルギー（ＬＥ１）の照射期間が第２光照射エネルギー（ＬＥ２）の照射期間よりも長い光パルスである。図１０（ｅ）は、第１光照射エネルギー（ＬＥ１）の値が右上がりの傾斜を有し、第２光照射エネルギー（ＬＥ２）がゼロとなる光パルスである。
【符号の説明】
【００５１】
１０…光美容装置、１５…光照射部、２１…ヒーター、２２…送風ファン。
【図１】
2014097164.tif 000003
【図２】
2014097164.tif 000004
【図３】
2014097164.tif 000005
【図４】
2014097164.tif 000006
【図５】
2014097164.tif 000007
【図６】
2014097164.tif 000008
【図７】
2014097164.tif 000009
【図８】
2014097164.tif 000010
【図９】
2014097164.tif 000011
【図１０】
2014097164.tif 000012